(57)【要約】【課題】直感的で分かりやすい操作により施解錠可能な施解錠システムを提供する。【解決手段】建物１０の玄関ドア１６には、屋内側に施錠装置２１、屋外側にドアハンドル１７が設けられている。施錠装置２１は、錠ケース２２とデッドボルト２３とを備えており、玄関ドア１６の戸先からデッドボルト２３を突出させることにより施錠され、デッドボルト２３を錠ケース２２に収納させることにより解錠される。ドアハンドル１７には、人が触れたことを検出するタッチセンサ１８ａ，１８ｂ，１８ｃが玄関ドア１６の戸先から吊元方向に順に配置されている。コントローラは、電子キー３１のＩＤ情報が認証されている状況で、デッドボルト２３の突出方向に順にタッチセンサ１８ａ〜１８ｃへの接触が検出された場合、施錠装置２１を施錠し、デッドボルト２３の収納方向に順にタッチセンサ１８ａ〜１８ｃへの接触が検出された場合、施錠装置２１を解錠する。【選択図】      図１
2020070571.tif 000002
【特許請求の範囲】
【請求項１】
開口部を開閉する開閉体と、デッドボルトを突出又は収納することにより前記開閉体を施錠又は解錠する施錠装置とを備える構造体の施解錠システムであって、
ユーザにより携帯され、固有の識別情報を送信する電子キーと、
前記開口部付近の所定範囲を通信エリアとして前記電子キーとの間で無線通信可能とされている通信装置と、
前記開閉体に設けられ、操作の方向性を識別可能な操作手段と、
前記通信装置により受信した前記電子キーからの前記識別情報に基づいて施解錠を制御する制御手段と、
を備え、
前記制御手段は、前記デッドボルトの突出方向と同じ方向へ前記操作手段が操作された場合に前記デッドボルトを突出させて施錠を実行し、前記デッドボルトの収納方向と同じ方向へ前記操作手段が操作された場合に前記デッドボルトを収納させて解錠を実行することを特徴とする、施解錠システム。
【請求項２】
前記操作手段は、複数のセンサにより構成され、
前記複数のセンサは、前記デッドボルトが突出及び収納される動作方向に並べて配置されることを特徴とする、請求項１に記載の施解錠システム。
【請求項３】
前記操作手段の付近に、前記施錠装置の施解錠状態を表示可能な表示部を備え、
前記表示部は、前記複数のセンサの並び順と同一の順で前記複数のセンサのそれぞれに対応する表示位置が定められており、
前記制御手段は、前記複数のセンサのうち操作されたセンサに対応する前記表示位置において前記施錠装置の施解錠状態を表示させることを特徴とする、請求項２に記載の施解錠システム。
【請求項４】
前記制御手段は、前記複数のセンサが前記デッドボルトの突出方向又は収納方向に順次操作されて正常な施解錠操作がなされた場合、
前記複数のセンサに対応する前記表示位置の全てにおいて、前記施解錠操作に基づく施解錠の実行前の施解錠状態を表示させた後、
前記施解錠操作に基づく施解錠の実行後に、前記複数のセンサに対応する前記表示位置の全てにおいて、前記施解錠操作に基づく施解錠の実行後の施解錠状態を表示させることを特徴とする、請求項３に記載の施解錠システム。
【請求項５】
前記制御手段は、前記複数のセンサに対する正常な施解錠操作が完了する前に、前記複数のセンサの少なくともいずれか１つに対して操作がなされている状況では、操作済のセンサに対応する前記表示位置と操作前のセンサに対応する前記表示位置とを識別可能に表示させ、かつ操作済のセンサに対応する前記表示位置には現在の施解錠状態を表示させることを特徴とする、請求項４に記載の施解錠システム。
【発明の詳細な説明】
【技術分野】
【０００１】
本発明は、施解錠システムに関するものである。
【背景技術】
【０００２】
住宅等の建物では、無線機能を有する電子キーを用いてドアに設けられた施錠装置の施解錠を行う施解錠システムが実用化されている。近年では、ドアの屋外側に設けられたドアハンドルや施解錠ボタン等にタッチセンサが内蔵され、当該センサへの接触により施解錠されるものが知られている。このシステムでは、電子キーを携帯した居住者が建物に入るためにドアに近づき、当該ドア付近に設けられた通信装置の通信エリア内に入ると、通信装置からのリクエスト信号を受信する。電子キーは、リクエスト信号に応答してアンサ信号として電子キー固有の識別情報を、何らの操作も要することなく自動的に通信装置へ発信する。そして、建物側では通信装置を介して受信したその識別情報に基づいてユーザ（居住者）であるか否かの認証が行われ、その認証によりユーザであることが判定されるとともに、ユーザがドアハンドルや施解錠ボタン等に触れたことがタッチセンサにより検出されると、ドアに設けられた施錠装置が施解錠される。このような施解錠システムは、電子キーを手に取ることなく施解錠できるためスマート認証システムと称されている。
【０００３】
このような施解錠システムは利便性に優れるが、ドアハンドルや施解錠ボタン等の接触のみで施解錠されるため、実際に施錠されたのか又は解錠されたのかが操作者には分かりにくい。
【０００４】
そのため、このような施解錠システムにおいて、施錠装置の施解錠状態を操作者が判断しやすい技術が提案されている（例えば、特許文献１）。特許文献１には、ドアハンドルの近傍に複数の接触検知センサが並べて配置されたセンサアレイが設けられた車両用ロック制御装置が開示されている。このセンサアレイにおいては、接触検知センサが所定の方向で順に接触されることに基づきロック装置が施錠され、所定の方向とは逆の方向で順に接触されることに基づきロック装置が解錠される構成とされている。
【先行技術文献】
【特許文献】
【０００５】
【特許文献１】国際公開第２０１４／１２５５７７号
【発明の概要】
【発明が解決しようとする課題】
【０００６】
特許文献１では、所定の方向とその逆の方向とにおいて操作されることにより施錠又は解錠される構成とされているが、例えば、操作者がその方向を誤って記憶する場合がありうる。このような場合、例えば、操作者が施錠装置を施錠したつもりで、実際は解錠されたままという状況が生じてしまい、防犯上好ましくない。
【０００７】
本発明は、かかる事情に鑑みてなされたものであり、直感的で分かりやすい操作により施解錠可能な施解錠システムを提供することを目的とする。
【課題を解決するための手段】
【０００８】
上記課題を解決すべく、第１の発明の施解錠システムは、
開口部を開閉する開閉体と、デッドボルトを突出又は収納することにより前記開閉体を施錠又は解錠する施錠装置とを備える構造体の施解錠システムであって、
ユーザにより携帯され、固有の識別情報を送信する電子キーと、
前記開口部付近の所定範囲を通信エリアとして前記電子キーとの間で無線通信可能とされている通信装置と、
前記開閉体に設けられ、操作の方向性を識別可能な操作手段と、
前記通信装置により受信した前記電子キーからの前記識別情報に基づいて施解錠を制御する制御手段と、
を備え、
前記制御手段は、前記デッドボルトの突出方向と同じ方向へ前記操作手段が操作された場合に前記デッドボルトを突出させて施錠を実行し、前記デッドボルトの収納方向と同じ方向へ前記操作手段が操作された場合に前記デッドボルトを収納させて解錠を実行することを特徴とする。
【０００９】
第１の発明の施解錠システムによれば、施解錠に伴う操作手段における操作の方向性（換言すれば、指の動作方向）が、デッドボルトの動作方向と一致する。すなわち、デッドボルトの突出方向に順に操作手段が操作された場合、施錠装置は施錠される。デッドボルトの収納方向に順に操作手段が操作された場合、施錠装置は解錠される。これにより、指の動く方向と、デッドボルトの動作方向とが一致しているため、施解錠操作が直感的で分かりやすい。
【００１０】
また、スマート認証における施解錠操作は、鍵を差し込んで回す施解錠操作に比べて簡便に行われるため、施解錠を実施したという実感が少ない。そのため、例えば構造体が建物であって開口部が玄関の開口部である場合、外出後に自身が施錠を実施したか否かを不安になる場合がある。第１の発明によれば、自身の行った指の動作方向（操作の方向性）を思い出すことで、施錠されたことを事後的に確認できるため、居住者にとって安心が得られやすい。
【００１１】
第２の発明の施解錠システムは、第１の発明において、
前記操作手段は、複数のセンサにより構成され、
前記複数のセンサは、前記デッドボルトが突出及び収納される動作方向に並べて配置されることを特徴とする。
【００１２】
第２の発明によれば、操作手段は複数のセンサがデッドボルトの動作方向に並べられて配置されている。これにより、操作者は複数のセンサを動作方向に順に操作することで指の動作方向が検出されるため、より確実に指の動作方向が検出でき、精度が向上する。
【００１３】
第３の発明の施解錠システムは、第２の発明において、
前記操作手段の付近に、前記施錠装置の施解錠状態を表示可能な表示部を備え、
前記表示部は、前記複数のセンサの並び順と同一の順で前記複数のセンサのそれぞれに対応する表示位置が定められており、
前記制御手段は、前記複数のセンサのうち操作されたセンサに対応する前記表示位置において前記施錠装置の施解錠状態を表示させることを特徴とする。
【００１４】
第３の発明によれば、複数のセンサのうち操作されたセンサに対応する表示部の表示位置において施解錠状態が表示される。スマート認証による施解錠操作が行われる場合、操作者により複数のセンサがデッドボルトの動作方向に順に操作される。表示部においては、複数のセンサのうち操作されたセンサに対応する表示位置において施解錠情報が表示される。すなわち、表示部において操作方向（指の動作方向）に順に施解錠状態が表示される。これにより、操作者は自身の操作した動作方向を目視で確認でき、施解錠のための操作が確実に実施されたこと、すなわち施解錠が確実に実施されることが確認できるため、居住者にとって安心が得られる。
【００１５】
第４の発明の施解錠システムは、第３の発明において、
前記制御手段は、前記複数のセンサが前記デッドボルトの突出方向又は収納方向に順次操作されて正常な施解錠操作がなされた場合、
前記複数のセンサに対応する前記表示位置の全てにおいて、前記施解錠操作に基づく施解錠の実行前の施解錠状態を表示させた後、
前記施解錠操作に基づく施解錠の実行後に、前記複数のセンサに対応する前記表示位置の全てにおいて、前記施解錠操作に基づく施解錠の実行後の施解錠状態を表示させることを特徴とする。
【００１６】
第４の発明によれば、複数のセンサをデッドボルトの突出方向又は収納方向に順次接触して正常な施解錠操作がなされた場合、複数のセンサに対応する表示位置の全てにおいて、まずはそのときの施解錠状態が表示される。そして、施解錠が実行された後、複数のセンサに対応する表示位置の全てにおいて、施解錠の実行後の施解錠状態が表示される。これにより、操作者は、施解錠のための操作が確実に実施されたことだけでなく、施解錠が確実に実施されたことが確認できるため、居住者にとってさらに安心が得られる。
【００１７】
第５の発明の施解錠システムは、第４の発明において、
前記制御手段は、前記複数のセンサに対する正常な施解錠操作が完了する前に、前記複数のセンサの少なくともいずれか１つに対して操作がなされている状況では、操作済のセンサに対応する前記表示位置と操作前のセンサに対応する前記表示位置とを識別可能に表示させ、かつ操作済のセンサに対応する前記表示位置には現在の施解錠状態を表示させることを特徴とする。
【００１８】
操作者が施解錠のための操作を途中で中断した場合、操作されないセンサが生じる。第５の発明によれば、表示位置において対応するセンサが操作されていない場合は、その旨が表示位置により識別できる。これにより、操作者は、施解錠操作が正常になされなかったこと（すなわち、施解錠が実行されないこと）が表示位置により確認できる。例えば、単に開閉体の施解錠状態を確認したい場合がある。このような場合、複数のセンサのうちいずれかを操作することにより、その操作されたセンサに対応する表示位置において施解錠状態が表示され、かつ操作されていないセンサに対応する表示位置において操作されていない旨が表示される。よって、操作者は、施解錠状態と、施解錠は実行されないこととが表示部の表示により同時に確認できるため、利便性に優れる。
【図面の簡単な説明】
【００１９】
【図１】玄関周辺を示す平面図。
【図２】施解錠システムの電気的構成を示す図。
【図３】スマート認証による施錠装置の施解錠の制御処理を示すフローチャート。
【図４】スマート認証による施錠装置の施解錠の制御処理を示すフローチャート。
【図５】タッチセンサにおける操作及びその操作に基づく表示灯における表示形式の概略図。
【発明を実施するための形態】
【００２０】
以下に、本発明を具体化した一実施の形態について図面を参照しつつ説明する。なお、図１は玄関周辺を示す平面図である。
【００２１】
図１に示すように、建物１０には、屋内スペースとして、玄関部１１、廊下１２、居室１３等が設けられている。玄関部１１には、出入口としての玄関口１５が設けられている。この玄関口１５を通じて建物１０への出入りが可能となっている。また、玄関口１５には、開閉体としての玄関ドア１６が設けられている。玄関ドア１６は、例えば回動式の開き戸からなり、右吊元とされている。この玄関ドア１６により玄関口１５が開閉されるようになっている。
【００２２】
玄関ドア１６（屋内側）には、施錠装置２１が取り付けられている。施錠装置２１は通電により施解錠を行う電気錠からなる。施錠装置２１は、建物１０の居住者が携帯する電子キー３１によって施解錠されるようになっている。
【００２３】
図１に示すように、施錠装置２１は、玄関ドア１６に収納される錠ケース２２と、錠ケース２２に収容され、玄関ドア１６の戸先から突出可能なデッドボルト２３とを備えている。このデッドボルト２３に対応する受孔部２４が玄関口１５の側面に設けられている。玄関ドア１６の戸先から施錠装置２１によりデッドボルト２３を突出させて、受孔部２４に挿入することにより、施錠装置２１が施錠される。施錠装置２１によりデッドボルト２３を受孔部２４から抜き出して、デッドボルト２３を錠ケース２２内に収納することにより施錠装置２１が解錠される。すなわち、デッドボルト２３を突出又は収納することにより、施錠装置２１が施錠又は解錠され、玄関ドア１６の開閉が規制又許容される。換言すれば、デッドボルト２３が受孔部２４に挿入されて係合構造となることにより、施錠装置２１が施錠状態とされる。
【００２４】
玄関ドア１６には、屋外側に取っ手としてのドアハンドル１７が設けられている。ドアハンドル１７にはタッチセンサ１８ａ，１８ｂ，１８ｃが玄関ドア１６の戸先から吊元方向に順に３つ横に並べて配置されている（図１、玄関ドア１６の部分拡大図参照）。タッチセンサ１８ａ〜１８ｃは、静電容量式のセンサであり、そのセンサ部分に人が接触したことを検出する。居住者の携帯する電子キー３１が認証された状態でタッチセンサ１８ａ〜１８ｃが特定の方向で順に人の接触を検出することにより、施錠装置２１が施解錠されるようになっている。タッチセンサ１８ａ〜１８ｃ付近の上方には、表示灯１９ａ，１９ｂ，１９ｃ，１９ｄ，１９ｅ，１９ｆが玄関ドア１６の戸先から吊元方向に順に６つ横に並べて配置されている。
【００２５】
玄関ドア１６付近の屋外側（玄関ドア１６の屋外側の面でも可）には、通信装置３２が設けられている。通信装置３２における無線通信用の通信エリアＣＡは、平面視において通信装置３２を中心とする円形の所定範囲であり、その範囲が玄関口１５の屋内側及び屋外側に跨がるように設定されている。詳しくは、通信装置３２の通信エリアＣＡは、玄関ドア１６の屋外側で住人がドアハンドル１７をつかんだ場合、居住者が当該通信エリアＣＡ内に位置するように設定されている。通信装置３２は、その通信エリアＣＡ内にて電子キー３１と通信可能とされている。
【００２６】
続いて、施解錠システムの電気的構成について図２に基づいて説明する。図２は、施解錠システムの電気的構成を示す図である。
【００２７】
図２に示すように、施解錠システムは、制御手段としてのコントローラ４０を備える。コントローラ４０は、ＣＰＵ、ＲＯＭ、ＲＡＭ等からなる周知のマイクロコンピュータを含んで構成され、建物１０の屋内側（例えば、玄関周辺の壁面等）に設けられている。なお、コントローラ４０は、玄関ドア１６内に設けられていてもよい。
【００２８】
コントローラ４０には、居住者認証のための情報（電子キー３１のＩＤ情報）やセンサ等の各種機器からの検出結果等を記憶する記憶部４１と、時間を計測する場合に用いられるタイマ４２を備えている。
【００２９】
コントローラ４０には、通信装置３２が接続されている。通信装置３２は、建物１０に居住する各住人の携帯する電子キー３１とそれぞれ無線通信が可能とされている。この場合、コントローラ４０は、通信装置３２を介して各住人の電子キー３１と無線通信が可能とされている。
【００３０】
電子キー３１は、電子キー３１毎に固有のＩＤ情報を記憶するメモリ（図示略）を備えており、コントローラ４０からの要求に応じてＩＤ情報を送信する。ここで、通信装置３２は、リクエスト信号を所定の時間周期（例えば０．５秒ごとに）で送信するのに対し、電子キー３１は、通信装置３２の通信エリアである通信エリアＣＡに進入してリクエスト信号を受信すると、そのリクエスト信号に応答してＩＤ情報を通信装置３２に送信する。そして、ＩＤ情報が通信装置３２により受信されると、当該ＩＤ情報が通信装置３２からコントローラ４０に入力される。コントローラ４０は、通信装置３２を介して電子キー３１からのＩＤ情報が入力されると、当該ＩＤ情報と予め記憶部４１に登録されたＩＤ情報との一致判定を行い、正規の電子キー３１であるか否かの認証を行う。
【００３１】
コントローラ４０には、タッチセンサ１８ａ〜１８ｃが接続されている。コントローラ４０には、タッチセンサ１８ａ〜１８ｃから逐次検出結果が入力される。そして、上記ＩＤ情報によって電子キー３１が正規認証されている状況において、タッチセンサ１８ａ〜１８ｃから（特定の方向で順にタッチセンサ１８ａ〜１８ｃへの接触が検出された旨の）検出結果が入力されると、そのタッチセンサ１８ａ〜１８ｃにより接触が検出された方向に基づいて、コントローラ４０は施錠装置２１の施錠又は解錠を行う。電子キー３１が正規のものに該当しない場合には、施錠装置２１の施解錠は行われない。
【００３２】
コントローラ４０には、表示灯１９ａ〜１９ｆが接続されている。表示灯１９ａ〜１９ｆは、赤色ＬＥＤ及び緑色ＬＥＤの２色のＬＥＤで構成され（図示略）、２色のＬＥＤの点灯方法はコントローラ４０により制御されている。本実施形態では、スマート認証により施錠装置２１が施解錠された場合、その施解錠処理の状態（例えば、施解錠処理の受付中、処理受付、処理完了）を逐次、表示灯１９ａ〜１９ｆの点灯方法（表示灯１９ａ〜１９ｆにおける点灯と消灯との組み合わせ）により識別して表示する。また、タッチセンサ１８ａ〜１８ｃの接触により施錠装置２１の施解錠状態（施錠状態又は解錠状態）を表示灯１９ａ〜１９ｆの色により識別して表示する。
【００３３】
次に、コントローラ４０により実行される制御処理の内容について図３〜図５に基づいて説明する。図３及び図４は、スマート認証による施錠装置２１の施解錠における制御処理の流れを示すフローチャートである。本処理は、所定の時間周期（例えば、０．５秒）で繰り返し実行される。図５は、タッチセンサ１８ａ〜１８ｃにおける操作及びその操作に基づく表示灯１９ａ〜１９ｆにおける表示形式の概略図である。
【００３４】
本実施形態では、スマート認証における施解錠は、タッチセンサ１８ａ〜１８ｃにおける指の動作方向に基づいて実行される。詳しくは、スマート認証における施解錠操作をされた場合、デッドボルト２３の動作方向は、その施解錠操作である指の動作方向と同一の方向とする。すなわち、タッチセンサ１８ａ〜１８ｃが戸先側から吊元側へと順（タッチセンサ１８ａ，１８ｂ，１８ｃの順）に接触された場合には、デッドボルト２３の動作方向は、デッドボルト２３が錠ケース２２へ収納される方向となる。一方、タッチセンサ１８ａ〜１８ｃが吊元側から戸先側へと順（タッチセンサ１８ｃ，１８ｂ，１８ａの順）に接触された場合には、デッドボルト２３の動作方向は、デッドボルト２３が突出して受孔部２４へ挿入される方向となる。したがって、施錠装置２１を解錠したい場合には、タッチセンサ１８ａ〜１８ｃを戸先側から吊元側へと順に接触し、施錠装置２１を施錠したい場合には、タッチセンサ１８ａ〜１８ｃを吊元側から戸先側へと順に接触する。以下、指の動作方向に基づく施解錠処理について説明する。
【００３５】
図３に示すように、ステップＳ１１では、通信装置３２を介して電子キー３１からのＩＤ情報を受信したか否か、換言すれば、電子キー３１が通信エリアＣＡ内に位置しているか否かを判定する。ＩＤ情報を受信した場合には、ステップＳ１２に進む。ＩＤ情報が受信されない場合、本処理を終了する。
【００３６】
ステップＳ１２では、受信したＩＤ情報と予め登録されたＩＤ情報とを比較し、正規のキーであるか否かの認証を行い、その認証の結果がＯＫであったか否か（正規のキーであるか否か）を判定する。認証ＯＫである場合には、ステップＳ１３に進む。認証ＮＧである場合、本処理を終了する。
【００３７】
次いで、ステップＳ１３では、ＩＤ情報が認証されている状況で、ドアハンドル１７に設けられたタッチセンサ１８ａにより接触が検出されたか否かを判定する。タッチセンサ１８ａにより接触が検出された場合には、ステップＳ１４へ進む。タッチセンサ１８ａにより接触が検出されていない場合には、ステップＳ３１に進む。
【００３８】
ステップＳ１４では、施錠装置２１の施解錠状態が施錠状態であるか否かを判定する。施錠装置２１が施錠状態である場合には、ステップＳ１５へ進む。施錠装置２１が施錠状態でない場合、すなわち、施錠装置２１が解錠状態である場合には、ステップＳ２４へ進む。
【００３９】
ステップＳ１５では、表示灯１９ａ〜１９ｆにおける状態表示処理として、表示灯１９ａ，１９ｂを緑色で点灯する。表示灯１９ａ〜１９ｆの緑色点灯は「施錠装置２１は施錠状態」を示している。また、表示灯１９ａ〜１９ｆのうち表示灯１９ａ，１９ｂのみ点灯されたのは、タッチセンサ１８ａにおいて接触が検出されたことに基づいている。状態表示処理を実行した後、ステップＳ１６へ進む。
【００４０】
ステップＳ１６では、タッチセンサ１８ａの接触が検出されてから所定時間Ｔ１（例えば１秒）が経過したか否かを判定する。ここでは、タッチセンサ１８ａの接触が検出されてからタイマ４２により計時されている時間が所定時間Ｔ１を超えたか否かを判定する。所定時間Ｔ１が経過していない場合には、ステップＳ１７へ進む。所定時間Ｔ１が経過した場合には、ステップＳ２３へ進む。
【００４１】
ステップＳ１７では、タッチセンサ１８ｂにより接触が検出されたか否かを判定する。タッチセンサ１８ｂにより接触が検出されていない場合には、ステップＳ１６に戻り、所定時間Ｔ１が経過するまで各処理を繰り返す。タッチセンサ１８ｂにより接触が検出された場合には、ステップＳ１８へ進む。
【００４２】
ステップＳ１８では、表示灯１９ａ〜１９ｆにおける状態表示処理として、表示灯１９ｃ，１９ｄを施錠状態を示す緑色で点灯する。表示灯１９ｃ，１９ｄが点灯されたのは、タッチセンサ１８ｂにおいて接触が検出されたことに基づいている。ここでは、ステップＳ１５により表示灯１９ａ，１９ｂがすでに緑色で点灯しているため、表示灯１９ａ〜１９ｆのうち表示灯１９ａ〜１９ｄが緑色点灯していることになる。状態表示処理を実行した後、ステップＳ１９へ進む。
【００４３】
ステップＳ１９では、タッチセンサ１８ｃにより接触が検出されたか否かを判定する。タッチセンサ１８ｃにより接触が検出されていない場合には、ステップＳ１６に戻り、所定時間Ｔ１が経過するまで各処理を繰り返す。タッチセンサ１８ｃにより接触が検出された場合には、ステップＳ２０へ進む。
【００４４】
ステップＳ２０では、表示灯１９ａ〜１９ｆにおける状態表示処理として、表示灯１９ｅ，１９ｆを施錠状態を示す緑色で点灯する。表示灯１９ｅ，１９ｆが点灯されたのは、タッチセンサ１８ｃにおいて接触が検出されたことに基づいている。ここでは、ステップＳ１５，Ｓ１８により表示灯１９ａ〜１９ｄがすでに緑色で点灯しているため、表示灯１９ａ〜１９ｆの全てが緑色点灯していることになる。なお、表示灯１９ａ〜１９ｆが全て点灯することにより、「解錠処理受付」を意味する。状態表示処理を実行した後、ステップＳ２１へ進む。
【００４５】
続くステップＳ２１では、解錠処理を実行する。解錠処理では、施錠装置２１に対して解錠信号を出力し、受孔部２４に挿入されていたデッドボルト２３を錠ケース２２に収納することにより玄関ドア１６を解錠する。解錠処理後、ステップＳ２２へ進む。ステップＳ２２では、状態表示処理として、表示灯１９ａ〜１９ｄを解錠状態を示す赤色で点灯する。ここでは、表示灯１９ａ〜１９ｄがいっせいに緑色から赤色に色を変えて点灯することにより解錠処理が完了したことを報知している。すなわち、表示灯１９ａ〜１９ｆが全て色を変えて点灯することにより、「処理完了」を意味する。状態表示処理を実行した後、ステップＳ２３へ進む。
【００４６】
ここで、ステップＳ１３〜Ｓ２２へと進む場合は、施錠装置２１が施錠状態であり、かつタッチセンサ１８ａ，１８ｂ，１８ｃの順に接触が検出されている。タッチセンサ１８ａ〜１８ｃが戸先側から吊元側へと順に接触されたことから、その指の動作方向は、デッドボルト２３の収納方向と同一となる。したがって、この場合、ステップＳ２１において解錠処理（デッドボルト２３を収納方向へと動作）がなされている。
【００４７】
ステップＳ２３では、点灯している表示灯１９ａ〜１９ｆ（ここでは、表示灯１９ａ〜１９ｆの全て）を所定時間Ｔ２（例えば、１．５秒）が経過するまで点灯した後、表示灯１９ａ〜１９ｆの消灯処理を実行する。消灯処理の実行後は本処理を終了する。
【００４８】
ここで、ステップＳ１３〜Ｓ２３の流れは、図５の（Ａ）に該当する。まず、タッチセンサ１８ａが接触されることにより、（ａ−１）のように表示灯１９ａ，１９ｂが施錠状態を示す緑色で点灯する（ステップＳ１５の状態表示処理に相当）。そうして、タッチセンサ１８ｂ，１８ｃと順に接触されることにより、（ａ−２）のように表示灯１９ｃ，１９ｄ及び（ａ−３）のように表示灯１９ｅ，１９ｆが緑色で順に点灯する（ステップＳ１８，Ｓ２０の状態表示処理に相当）。これにより（ａ−３）では、表示灯１９ａ〜１９ｆの全てが緑色で点灯する。そうして、解錠処理受付がなされて、ステップＳ２１の解錠処理を実行した後、ステップＳ２２において、状態表示処理として、（ａ−４）のように表示灯１９ａ〜１９ｆの全てを解錠状態を示す赤色で点灯した後、ステップＳ２３にて、（ａ−５）のように表示灯１９ａ〜１９ｆの全てを消灯する。
【００４９】
なお、例えば、タッチセンサ１８ａにおける接触の検出後、所定時間Ｔ１以内にタッチセンサ１８ｂ，１８ｃ又はタッチセンサ１８ｃにおける接触が検出されない場合（ステップＳ１６よりステップＳ２３へ進む場合）がありうる。このような場合、タッチセンサ１８ａ〜１８ｃのうち接触が検出されたタッチセンサにおいてのみ状態表示処理がなされる。すなわち、タッチセンサ１８ａにおいて接触が検出されてから所定時間Ｔ１以内にタッチセンサ１８ｂ，１８ｃにおいて接触が検出されなかった場合は、（ａ−１）のように表示灯１９ａ，１９ｂが施錠状態を示す緑色で点灯した後、ステップＳ２３にて、（ａ−５）のように表示灯１９ａ〜１９ｆの全てを消灯する。タッチセンサ１８ａにおいて接触が検出されてから所定時間Ｔ１以内にタッチセンサ１８ｂにおいて接触が検出され、タッチセンサ１８ｃにおいて接触が検出されなかった場合は、（ａ−２）のように表示灯１９ａ〜１９ｄが施錠状態を示す緑色で点灯した後、ステップＳ２３にて、（ａ−５）のように表示灯１９ａ〜１９ｆの全てを消灯する。
【００５０】
ステップＳ１４において解錠状態であると判定された場合、ステップＳ２４へ進み、表示灯１９ａ〜１９ｆにおける状態表示処理として、タッチセンサ１８ａにおいて接触が検出されたことに基づき、表示灯１９ａ，１９ｂを赤色で点灯する。表示灯１９ａ〜１９ｆの赤色点灯は「施錠装置２１は解錠状態」を示している。状態表示処理を実行した後、ステップＳ２３へ進む。
【００５１】
ここで、タッチセンサ１８ａは、タッチセンサ１８ａ〜１８ｃのうちもっとも戸先側に配置されたセンサである。そのため、タッチセンサ１８ａは、デッドボルト２３を収納する場合（すなわち、解錠処理する場合）において、タッチセンサ１８ａ〜１８ｃのうち一番最初に接触されるタッチセンサである。一方、ステップＳ２４に進む場合は、施錠装置２１が解錠状態の場合であり、デッドボルト２３は錠ケース２２へとすでに収納されている。したがって、施錠装置２１がすでに解錠状態である状況において、タッチセンサ１８ａ〜１８ｃのうち一番最初にタッチセンサ１８ａへの接触が検出された場合には、その接触に基づき状態表示処理を実行する。
【００５２】
ここで、ステップＳ１３，Ｓ１４，Ｓ２４，Ｓ２３の流れは、図５の（Ｃ）に該当する。タッチセンサ１８ａが接触されることにより、（ｃ−２）のように表示灯１９ａ，１９ｂが解錠状態を示す赤色で点灯する（ステップＳ２４の状態表示処理に相当）。そうして、表示灯１９ａ，１９ｂの点灯後は、表示灯１９ａ，１９ｂを消灯し、（ｃ−４）のように表示灯１９ａ〜１９ｆの全てが消灯された状態となる（ステップＳ２３）。
【００５３】
ステップＳ１３でタッチセンサ１８ａにより接触が検出されていない場合、図４のステップＳ３１に進み、ＩＤ情報が認証されている状況で、タッチセンサ１８ｃにより接触が検出されたか否かを判定する。タッチセンサ１８ｃにより接触が検出された場合には、ステップＳ３２へ進む。タッチセンサ１８ｃにより接触が検出されていない場合には、ステップＳ４２に進む。
【００５４】
ステップＳ３２では、施錠装置２１の施解錠状態が解錠状態であるか否かを判定する。施錠装置２１が解錠状態である場合には、ステップＳ３３へ進む。施錠装置２１が解錠状態でない場合、すなわち、施錠装置２１が施錠状態である場合には、ステップＳ４１へ進む。
【００５５】
ステップＳ３３では、表示灯１９ａ〜１９ｆにおける状態表示処理として、タッチセンサ１８ｃにおいて接触が検出されたことに基づき、表示灯１９ｅ，１９ｆを解錠状態を示す赤色で点灯する。状態表示処理を実行した後、ステップＳ３４へ進む。
【００５６】
ステップＳ３４では、タッチセンサ１８ｃの接触が検出されてから所定時間Ｔ１（例えば１秒）が経過したか否かを判定する。ここでは、タッチセンサ１８ｃの接触が検出されてからタイマ４２により計時されている時間が所定時間Ｔ１を超えたか否かを判定する。所定時間Ｔ１が経過していない場合には、ステップＳ３５へ進む。所定時間Ｔ１が経過した場合には、ステップＳ２３へ進む。
【００５７】
ステップＳ３５では、タッチセンサ１８ｂにより接触が検出されたか否かを判定する。タッチセンサ１８ｂにより接触が検出されていない場合には、ステップＳ３４に戻り、所定時間Ｔ１が経過するまで各処理を繰り返す。タッチセンサ１８ｂにより接触が検出された場合には、ステップＳ３６へ進む。
【００５８】
ステップＳ３６では、表示灯１９ａ〜１９ｆにおける状態表示処理として、タッチセンサ１８ｂにおいて接触が検出されたことに基づき、表示灯１９ｃ、１９ｄを解錠状態を示す赤色で点灯する。ここでは、ステップＳ３３により表示灯１９ｅ，１９ｆがすでに赤色で点灯しているため、表示灯１９ａ〜１９ｆのうち表示灯１９ｃ〜１９ｆが赤色点灯していることになる。状態表示処理を実行した後、ステップＳ３７へ進む。
【００５９】
ステップＳ３７では、タッチセンサ１８ａにより接触が検出されたか否かを判定する。タッチセンサ１８ａにより接触が検出されていない場合には、ステップＳ３４に戻り、所定時間Ｔ１が経過するまで各処理を繰り返す。タッチセンサ１８ａにより接触が検出された場合には、ステップＳ３８へ進む。
【００６０】
ステップＳ３８では、表示灯１９ａ〜１９ｆにおける状態表示処理として、タッチセンサ１８ａにおいて接触が検出されたことに基づき、表示灯１９ａ，１９ｂを解錠状態を示す赤色で点灯する。ここでは、ステップＳ３３，Ｓ３６により表示灯１９ｃ〜１９ｆがすでに赤色で点灯しているため、表示灯１９ａ〜１９ｆの全てが赤色点灯していることになる。なお、表示灯１９ａ〜１９ｆが全て点灯することにより、「施錠処理受付」を意味する。状態表示処理を実行した後、ステップＳ３９へ進む。
【００６１】
続くステップＳ３９では、施錠処理を実行する。施錠処理では、施錠装置２１に対して施錠信号を出力し、収納されていたデッドボルト２３を突出し、受孔部２４に挿入することにより玄関ドア1６を施錠する。施錠処理後、ステップＳ４０へ進む。ステップＳ４０では、状態表示処理として、表示灯１９ａ〜１９ｄを施錠状態を示す緑色で点灯する。ここでは、表示灯１９ａ〜１９ｄがいっせいに赤色から緑色に色を変えて点灯することにより施錠処理が完了したことを報知している。状態表示処理を実行した後、図３に戻り、ステップＳ２３へ進む。
【００６２】
ここで、ステップＳ３１〜Ｓ４０へと進む場合は、施錠装置２１が解錠状態であり、かつタッチセンサ１８ｃ，１８ｂ，１８ａの順に接触が検出されている。タッチセンサ１８ａ〜１８ｃが吊元側から戸先側へと順に接触されたことから、その指の動作方向は、デッドボルト２３の突出方向と同一となる。したがって、この場合、ステップＳ３９において施錠処理（デッドボルト２３を突出方向へと動作）がなされている。
【００６３】
また、タッチセンサ１８ｃ，１８ｂ，１８ａが順次接触を検出した場合、すなわち、ステップＳ３１〜Ｓ４０，Ｓ２３までの流れは、図５の（Ｂ）に該当する。まず、タッチセンサ１８ｃが接触されることにより、（ｂ−１）のように表示灯１９ｅ，１９ｆが解錠状態を示す赤色で点灯する（ステップＳ３３の状態表示処理に相当）。そうして、タッチセンサ１８ｂ，１８ａと順に接触されることにより、（ｂ−２）のように表示灯１９ｃ，１９ｄ、（ｂ−３）のように表示灯１９ａ，１９ｂが赤色で順に点灯する（ステップＳ３６，Ｓ３８の状態表示処理に相当）。これにより（ｂ−３）では、表示灯１９ａ〜１９ｆの全てが赤色で点灯する。そうして、施錠処理受付がなされて、ステップＳ３９の施錠処理を実行した後、ステップＳ４０において、状態表示処理として、表示灯１９ａ〜１９ｆの全てを施錠状態を示す緑色で点灯した後（ｂ−４）、ステップＳ２３にて、表示灯１９ａ〜１９ｆの全てを消灯する（ｂ−５）。
【００６４】
なお、例えば、タッチセンサ１８ｃにおける接触の検出後、所定時間Ｔ１以内にタッチセンサ１８ｂ，１８ａ又はタッチセンサ１８ａにおける接触が検出されない場合（ステップＳ３４よりステップＳ２３へ進む場合）がありうる。このような場合、タッチセンサ１８ａ〜１８ｃのうち接触が検出されたタッチセンサにおいてのみ状態表示処理がなされる。すなわち、タッチセンサ１８ｃにおいて接触が検出されてから所定時間Ｔ１以内にタッチセンサ１８ｂ，１８ａにおいて接触が検出されなかった場合は、（ｂ−１）のように表示灯１９ｅ，１９ｆが解錠状態を示す赤色で点灯した後、ステップＳ２３にて、（ｂ−５）のように表示灯１９ａ〜１９ｆの全てを消灯する。タッチセンサ１８ｃにおいて接触が検出されてから所定時間Ｔ１以内にタッチセンサ１８ｂにおいて接触が検出され、タッチセンサ１８ａにおいて接触が検出されなかった場合は、（ｂ−２）のように表示灯１９ｃ〜１９ｆが施錠状態を示す緑色で点灯した後、ステップＳ２３にて、（ａ−５）のように表示灯１９ａ〜１９ｆの全てを消灯する。
【００６５】
ステップＳ３２において施錠状態であると判定された場合、ステップＳ４１へ進み、表示灯１９ａ〜１９ｆにおける状態表示処理として、タッチセンサ１８ｃにおいて接触が検出されたことに基づき、表示灯１９ｅ，１９ｆを施錠状態を示す緑色で点灯する。状態表示処理を実行した後、図３のステップＳ２３へ進む。
【００６６】
ここで、タッチセンサ１８ｃは、タッチセンサ１８ａ〜１８ｃのうちもっとも吊元側に配置されたセンサである。そのため、タッチセンサ１８ｃは、デッドボルト２３を突出する場合（すなわち、施錠処理する場合）において、タッチセンサ１８ａ〜１８ｃのうち一番最初に接触されるタッチセンサである。一方、ステップＳ４１に進む場合は、施錠装置２１が施錠状態の場合であり、デッドボルト２３はすでに突出して、受孔部２４に挿入されている。したがって、施錠装置２１がすでに施錠状態である状況において、タッチセンサ１８ａ〜１８ｃのうち一番最初にタッチセンサ１８ｃへの接触が検出された場合には、その接触に基づき状態表示処理を実行する。
【００６７】
ここで、ステップＳ３１，Ｓ３２，Ｓ４１，Ｓ２３の流れは、図５の（Ｃ）に該当する。タッチセンサ１８ｃが接触されることにより、（ｃ−３）のように表示灯１９ｅ，１９ｆが施錠状態を示す緑色で点灯する（ステップＳ４１の状態表示処理に相当）。そうして、表示灯１９ｅ，１９ｆの点灯後は、表示灯１９ｅ，１９ｆを消灯し、（ｃ−４）のように表示灯１９ａ〜１９ｆの全てが消灯された状態となる（ステップＳ２３）。
【００６８】
ステップＳ３１でタッチセンサ１８ｃにより接触が検出されていない場合、ステップＳ４２に進み、ＩＤ情報が認証されている状況で、タッチセンサ１８ｂにより接触が検出されたか否かを判定する。タッチセンサ１８ｂにより接触が検出された場合には、ステップＳ４３へ進む。タッチセンサ１８ｂにより接触が検出されていない場合には、図３に戻り、本処理を終了する。
【００６９】
ステップＳ４３では、施錠装置２１の施解錠状態が解錠状態であるか否かを判定する。施錠装置２１が解錠状態である場合には、ステップＳ４４へ進む。施錠装置２１が解錠状態でない場合、すなわち、施錠装置２１が施錠状態である場合には、ステップＳ４５へ進む。
【００７０】
ステップＳ４４では、表示灯１９ａ〜１９ｆにおける状態表示処理として、タッチセンサ１８ｂにおいて接触が検出されたことに基づき、表示灯１９ｃ，１９ｄを解錠状態を示す赤色で点灯する。状態表示処理を実行した後、図３のステップＳ２３へ進む。
【００７１】
ステップＳ４５では、表示灯１９ａ〜１９ｆにおける状態表示処理として、タッチセンサ１８ｂにおいて接触が検出されたことに基づき、表示灯１９ｃ，１９ｄを施錠状態を示す緑色で点灯する。状態表示処理を実行した後、図３のステップＳ２３へ進む。
【００７２】
ここで、タッチセンサ１８ｂは、タッチセンサ１８ａ〜１８ｃのうち中央に配置されたセンサである。そのため、タッチセンサ１８ｂを一番最初に接触する場合は、デッドボルト２３の突出方向又は収納方向を示すこと（すなわち、施解錠操作）を目的としていないことを意味する。この場合は、そのタッチセンサ１８ｂへの接触に基づき状態表示処理を実行する（ステップＳ４４，Ｓ４５）。
【００７３】
なお、ステップＳ４２，Ｓ４３，Ｓ４４又はＳ４５の流れは、図５の（Ｃ）に該当する。タッチセンサ１８ｂが接触されることにより、（ｃ−１）のように表示灯１９ｃ，１９ｄが解錠状態を示す赤色、又は施錠状態を示す緑色で点灯する（ステップＳ４４又はＳ４５の状態表示処理に相当）。そうして、表示灯１９ｃ，１９ｄの点灯後は、表示灯１９ｃ，１９ｄを消灯し、（ｃ−４）のように表示灯１９ａ〜１９ｆの全てが消灯された状態となる（ステップＳ２３）。
【００７４】
ステップＳ２３にて表示灯１９ａ〜１９ｆの全てを消灯した後は本処理を終了する。
【００７５】
以上、詳述した本実施形態の構成によれば、以下の優れた効果が得られる。
【００７６】
（１）スマート認証における施解錠操作において接触のみで施解錠される場合は、その接触によりその時点での施解錠状態とは反対の施解錠状態へと切り換えられる。すなわち、接触による施解錠操作はその時点の施解錠状態に依存することになる。この場合、例えば、すでに解錠状態である状況において、その状況を知らない操作者が解錠を試みて接触すると施錠されてしまう。このような問題を回避するために、施錠操作と解錠操作とを異なる操作とすることが考えられる。この場合、すでに解錠状態の場合に解錠操作を行ったとしても施錠はされないため、上述のような不便は解消される。しかしながら、解錠操作と施錠操作とが類似している場合（例えば、接触回数の違い、接触する指の本数の違い等により区別する場合など）、操作者が操作を誤る又は操作を誤って記憶するおそれがある。
【００７７】
本実施形態によれば、施解錠に伴う操作の方向性が、デッドボルト２３の動作方向と一致する。すなわち、デッドボルト２３の突出方向に順にタッチセンサ１８ａ〜１８ｃが操作された場合（タッチセンサ１８ｃ，１８ｂ，１８ａの順）、施錠装置２１は施錠される。デッドボルト２３の収納方向に順にタッチセンサ１８ａ〜１８ｃが操作された場合（タッチセンサ１８ａ，１８ｂ，１８ｃの順）、施錠装置２１は解錠される。これにより、指の動く方向と、デッドボルト２３の動作方向とが一致しているため、施解錠操作が直感的で分かりやすい。
【００７８】
また、スマート認証における施解錠操作は、鍵を差し込んで回す施解錠操作に比べて簡便に行われるため、施解錠を実施したという実感が少ない。そのため、外出後に自身が施錠を実施したか否かを不安になる場合がある。本実施形態によれば、自身の行った指の動き（操作の方向性）を思い出すことで、施錠されたことを事後的に確認できるため、居住者にとって安心が得られやすい。
【００７９】
（２）本実施形態によれば、スマート認証がされている状態でタッチセンサ１８ａ〜１８ｃのいずれかを接触することにより、施錠装置２１の施解錠状態が表示灯１９ａ〜１９ｆにおける色で識別されて表示される（施錠状態は緑色、解錠状態は赤色で点灯）。これにより、居住者は、施錠装置２１の施解錠状態を容易に確認できる。
【００８０】
（３）本実施形態によれば、スマート認証による施解錠操作が行われた場合、その施解錠操作に基づく施解錠の進行状況について、表示灯１９ａ〜１９ｆの色と点灯方法（点灯位置）とにより識別して表示される。すなわち、施錠装置２１が施錠状態である場合に解錠操作（すなわち、タッチセンサ１８ａ，１８ｂ，１８ｃの順で接触を検出）がなされた場合は、施錠状態を示す緑色で、表示灯１９ａ，１９ｂと、表示灯１９ｃ，１９ｄと、表示灯１９ｅ，１９ｆとが順に点灯する。そうして、表示灯１９ａ〜１９ｆが全て緑色で点灯したことにより解錠処理を受け付けたことを示し、その後解錠処理がなされた後に、表示灯１９ａ〜１９ｆが全て解錠状態を示す赤色で点灯する。これにより、居住者自身が行った施錠装置２１の施解錠操作の有効性と施錠装置２１の施解錠状態とについて、施解錠操作の際に居住者が目視で確認することができる。そのため、外出後に自身が施錠を実施したか否かについて、目視した色を思い出すことで施錠されたことを事後的に確認でき、安心が得られる。すなわち、本実施形態によれば、操作の方向性と色とにより事後的に施錠されたことの確認が可能である。
【００８１】
（４）本実施形態によれば、スマート認証による施解錠操作が途中で中断された場合には、接触されたタッチセンサ１８ａ〜１８ｃの位置に相当する表示灯１９ａ〜１９ｆ（例えば、タッチセンサ１８ａを接触した場合、表示灯１９ａ，１９ｂ）において、施錠装置２１の施解錠状態が色で識別されて表示される。すなわち、表示灯１９ａ〜１９ｆが順に点灯せず、一部分の表示灯１９ａ〜１９ｆが点灯することにより、施解錠操作が有効でない旨が把握できる。
【００８２】
本発明は上記実施形態に限らず、例えば次のように実施されてもよい。
【００８３】
（１）上記実施形態では、玄関ドア１６は右吊元の開き戸とされていたが、玄関ドア１６は左吊元の開き戸であってもよいし、引き戸であってもよい。これらの場合であっても、デッドボルト２３の動作方向と同一の方向において指が操作されることにより施解錠される構成とすればよい。具体的には、デッドボルト２３の突出方向に指が操作されることにより施錠され、デッドボルト２３の収納方向に指が操作されることにより解錠される。
【００８４】
（２）上記実施形態では、玄関ドア１６において施錠装置２１をひとつ設けたが、施錠装置２１は複数であってもよい。この場合、タッチセンサ１８ａ〜１８ｃの操作に基づき、全ての施錠装置２１が連動して施解錠される。この場合、施解錠処理受付状態を示す表示（図５の（ａ−３）、（ｂ−３）の表示状態）の時間が長くなる場合がある。
【００８５】
（３）上記実施形態では、指の動作方向を検出する操作手段は、３つのタッチセンサ１８ａ〜１８ｃから構成されたが、指の動作方向が認識できるのであれば、タッチセンサは１つであってもよい。タッチセンサを複数（２以上、好ましくは３以上）で構成することにより、誤検出を減らすことができる。
【００８６】
（４）上記実施形態では、表示部として６つの表示灯１９ａ〜１９ｆから構成されたが、指の動作方向が認識できるのであれば、表示灯１９ａ〜１９ｆは１つであってもよい。表示部を複数（２以上、好ましくは３以上）で構成することにより、タッチセンサの接触位置（例えば、タッチセンサ１８ａ〜１８ｃ）に対応するそれぞれの表示位置が認識しやすくなり、施解錠操作の有効性（例えば、タッチセンサ１８ａ，１８ｂ，１８ｃが順に接触されたか等）が分かりやすい。
【００８７】
（５）上記実施形態では構造体として住宅用である建物１０を対象とする施解錠システムを説明したが、本発明の施解錠システムの適用対象となる構造体は住宅用の建物１０に制限されず、例えば商業ビル、倉庫、金庫等の構造体でもよい。
【符号の説明】
【００８８】
１０…建物、１５…開口部としての玄関口、１６…開閉体としての玄関ドア、１７…ドアハンドル、１８ａ〜１８ｃ…操作手段としてのタッチセンサ、１９ａ〜１９ｆ…表示部としての表示灯、２１…施錠装置、２３…デッドボルト、３１…電子キー、３２…通信装置、４０…コントローラ、４１…記憶部、ＣＡ…通信エリア。
【図１】
2020070571.tif 000003
【図２】
2020070571.tif 000004
【図３】
2020070571.tif 000005
【図４】
2020070571.tif 000006
【図５】
2020070571.tif 000007